(57)【要約】【課題】容器本体と、該容器本体の内面と収容物との間に介在されるフィルム部材から成る包装容器において、組み立て時における作業者の負担を軽減する。【解決手段】容器本体２は、底壁５と、その外周縁より起立される互いに平行な一対の第１側壁６と、これと交差するように底壁５の外周縁より起立される互いに平行な一対の第２側壁７と、底壁５の隅部近傍において、第１側壁６と対向するように、底壁５及び第２側壁７から突出された突出部８によって形成される。容器本体２の上にフィルム部材３を載置し、上方から容器本体２の内面に組み立て用治具１０を差し込むことにより、フィルム部材３が係留部９に嵌挿される。このとき、フィルム部材３と第１側壁６及び突出部８との摩擦により、フィルム部材３を係留部９から抜くことなく、組み立て用治具１０のみを引き抜くことができる。これにより、包装容器１の組み立てが容易となる。【選択図】図４
2007238110.tif 000002
【特許請求の範囲】
【請求項１】
発泡材により形成された、底壁と、この底壁の外周縁より起立される互いに平行な一対の第１側壁と、この第１側壁と交差するように前記底壁の外周縁より起立される互いに平行な一対の第２側壁とを有する容器本体と、
この容器本体の内面と該容器本体に収容される収容物との間に介在されるフィルム部材と、を備えた包装容器において、
前記フィルム部材は、シート状に形成され、前記容器本体の底壁よりも大きな寸法を有し、
前記容器本体は、その隅部近傍において、前記フィルム部材が嵌挿されて係留される係留部を有することを特徴とする包装容器。
【請求項２】
前記係留部は、前記第１側壁と、該第１側壁に対向するように、該底壁及び／又は前記第２側壁から突出された突出部と、によって形成され、
前記フィルム部材は、前記係留部に嵌挿され、前記第１側壁及び突出部によって係留されていることを特徴とする請求項１に記載の包装容器。
【請求項３】
前記突出部の上端縁は、角が丸められていることを特徴とする請求項２に記載の包装容器。
【請求項４】
前記係留部は、前記第２側壁の上端縁から前記底壁に亘って溝状に形成されていることを特徴とする請求項１に記載の包装容器。
【請求項５】
前記係留部は、前記底壁の端縁近傍において、前記第１側壁と略平行に溝状に形成されていることを特徴とする請求項１に記載の包装容器。
【請求項６】
前記係留部は、嵌挿された前記フィルム部材を溜めるフィルム溜部と、前記容器本体の内面に向かって開口され、前記フィルム部材が前記フィルム溜部から離脱しないように係止するフィルム係止部と、を有し、
前記フィルム係止部の開口は、前記フィルム溜部よりも狭く形成されていることを特徴とする請求項１に記載の包装容器。
【請求項７】
請求項１に記載の包装容器の組み立てに用いられる組み立て用治具であって、
前記フィルム部材を介して前記容器本体の第１側壁に沿って該容器本体に差し込まれ、該フィルム部材を前記係留部に嵌挿させる第１差込部と、前記フィルム部材を介して前記第２側壁に対向して容器本体に差し込まれ、該フィルム部材を容器内部に装着させる第２差込部と、前記フィルム部材が容器本体に装着された後、前記第１差込部及び前記第２差込部を該容器本体から引き抜くための取手部と、を備えたことを特徴とする組み立て用治具。
【発明の詳細な説明】
【技術分野】
【０００１】
本発明は、魚等の生鮮食品の輸送・保管に適する包装容器、及びその組み立て用治具に関するものである。
【背景技術】
【０００２】
従来から、魚等の生鮮食品の輸送・保管には、軽量で断熱性に優れた発泡樹脂から成る包装容器が使用されており、こうした容器が種々提案されている（例えば、特許文献１参照）。そして、近年においては、生鮮食品の見た目上の鮮度を引き立たせると共に、さらなる断熱性を得るために、容器本体の内面と生鮮食品との間に袋状のフィルム部材を介在させて使用されている。
【０００３】
ところが、上述した袋状のフィルム部材は、生鮮食品を包み込んで収容するのに適している反面、包装容器の組み立てにあたって容器本体にフィルム部材を装着する際に、作業者が閉じられた袋（すなわち２枚重ねとなっているフィルム部材）の開口部を開いた後、容器本体に装着しなければならず、作業者の負担となっていた。
【特許文献１】特開２００４−３２３０３８号公報
【発明の開示】
【発明が解決しようとする課題】
【０００４】
本発明は、上記課題を解決するためになされたものであり、包装容器の組み立てにあたって容器本体にフィルム部材を装着する際における作業者の負担を軽減することができる包装容器、及びその組み立て用治具を提供することを目的とする。
【課題を解決するための手段】
【０００５】
上記目的を達成するために請求項１の発明は、発泡材により形成された、底壁と、この底壁の外周縁より起立される互いに平行な一対の第１側壁と、この第１側壁と交差するように底壁の外周縁より起立される互いに平行な一対の第２側壁とを有する容器本体と、この容器本体の内面と該容器本体に収容される収容物との間に介在されるフィルム部材と、を備えた包装容器において、フィルム部材は、シート状に形成され、容器本体の底壁よりも大きな寸法を有し、容器本体は、その隅部近傍において、フィルム部材が嵌挿されて係留される係留部を有するものである。
【０００６】
請求項２の発明は、請求項１に記載の包装容器において、係留部は、第１側壁と、該第１側壁に対向するように、該底壁及び／又は第２側壁から突出された突出部と、によって形成され、フィルム部材は、係留部に嵌挿され、第１側壁及び突出部によって係留されているものである。
【０００７】
請求項３の発明は、請求項２に記載の包装容器において、突出部の上端縁は、角が丸められているものである。
【０００８】
請求項４の発明は、請求項１に記載の包装容器において、係留部は、第２側壁の上端縁から底壁に亘って溝状に形成されているものである。
【０００９】
請求項５の発明は、請求項１に記載の包装容器において、係留部は、底壁の端縁近傍において、第１側壁と略平行に溝状に形成されているものである。
【００１０】
請求項６の発明は、請求項１に記載の包装容器において、係留部は、嵌挿されたフィルム部材を溜めるフィルム溜部と、容器本体の内面に向かって開口され、フィルム部材がフィルム溜部から離脱しないように係止するフィルム係止部と、を有し、フィルム係止部の開口は、フィルム溜部よりも狭く形成されているものである。
【００１１】
請求項７の発明は、請求項１に記載の包装容器の組み立てに用いられる組み立て用治具であって、フィルム部材を介して容器本体の第１側壁に沿って該容器本体に差し込まれ、該フィルム部材を係留部に嵌挿させる第１差込部と、フィルム部材を介して第２側壁に対向して容器本体に差し込まれ、該フィルム部材を容器内部に装着させる第２差込部と、フィルム部材が容器本体に装着された後、第１差込部及び第２差込部を該容器本体から引き抜くための取手部と、を備えたものである。
【発明の効果】
【００１２】
請求項１の発明によれば、シート状に形成されたフィルム部材が、容器本体に装着されて容器本体の内面と収容物との間に介在されるので、従来のように袋状のフィルム部材を用いる必要がなくなり、袋の開口部を開く手間が省け、作業者の負担が軽減される。また、フィルム部材は、容器本体の底壁よりも大きな寸法を有し、その一部が、係留部に嵌挿されている。従って、万一、フィルム部材が係留部から離脱しようとする場合であっても、フィルム部材と係留部の内面との間に摩擦力が発生し、フィルム部材が係留される。これより、フィルム部材の位置ずれや離脱が防止される。
【００１３】
請求項２の発明によれば、フィルム部材は、第１側壁及び突出部によって形成された係留部に嵌挿されるので、フィルム部材と第１側壁及び突出部との間に大きな摩擦力が発生する。これより、フィルム部材の位置ずれや離脱が一層防止される。
【００１４】
請求項３の発明によれば、突出部の上端縁の角が丸められているので、フィルム部材が突出部の表面を滑り易くなる。これにより、容器本体にフィルム部材を装着する際、フィルム部材が突出部に引っかかることがなくなり、円滑にフィルム部材を係留部に嵌挿できるようになる。
【００１５】
請求項４の発明によれば、第２側壁に設けられた係留部によって、フィルム部材を係留し、フィルム部材の位置ずれや離脱を防止することができる。また、係留部が、第２側壁の上端縁から底壁に亘って形成されているので、フィルム部材と係留部の内面との接触面積が大きくなる。これにより、フィルム部材と係留部との間に生ずる摩擦力が大きくなり、フィルム部材の位置ずれや離脱の防止効果をより一層高めることができる。
【００１６】
請求項５の発明によれば、係留部が底壁に設けられているので、フィルム部材の装着が容易となる。
【００１７】
請求項６の発明によれば、フィルム溜部とフィルム係止部によって鍵穴状の係留部が形成されるので、フィルム部材の位置ずれや離脱を、より一層防止できるようになる。
【００１８】
請求項７の発明によれば、組み立て用治具が、フィルム部材を係留部に嵌挿させる第１差込部と、フィルム部材を容器内部に装着させる第２差込部とを備えているので、容器本体の上面にフィルム部材を載置させた状態で組み立て用治具を容器内部に差し込むだけで、容易にフィルム部材を装着でき、作業者の負担を軽減できるようになる。また、組み立て用治具が、第１差込部及び第２差込部を容器本体から引き抜くための取手部を備えているので、フィルム部材が容器本体に装着された後、取手部を引くことにより、組み立て用治具を容器本体から容易に取り外すことができ、包装容器の組み立て作業を効率よく行えるようになる。
【発明を実施するための最良の形態】
【００１９】
本発明を実施するための一実施形態による包装容器及びその組み立て用治具について図面を参照して説明する。図１は生鮮食品の輸送・保管に用いられる包装容器を示している。包装容器１は、魚５０等の生鮮食品が氷６０と共に収容される容器本体２と、容器本体２の内面と収容される魚５０等との間に介在されるフィルム部材３等によって構成されている。
【００２０】
図２及び図３は、容器本体２の構造を示している。容器本体２は、発泡樹脂により形成されており、底壁５と、底壁５の外周縁より起立される二対の側壁６，７と、底壁５の隅部近傍に形成された突出部８とを有している。以下、説明の便宜上、二対の側壁６，７のうち、互いに平行な一対の側壁（図２において、容器本体２の長手方向に対して垂直な側壁）を第１側壁６、この第１側壁６と交差する互いに平行な一対の側壁を第２側壁７とする。突出部８は、第１側壁６と対向するように、底壁５及び第２側壁７から突出されている。第１側壁６と突出部８とによって、フィルム部材３を嵌挿して係留するための係留部９が形成される。
【００２１】
係留部９は、嵌挿されたフィルム部材３を溜めるフィルム溜部９ａと、容器本体２の内面に向かって開口され、フィルム部材３がフィルム溜部９ａから離脱しないように係止するフィルム係止部９ｂ等によって構成されている。フィルム係止部９ｂの開口は、フィルム溜部９ａよりも狭く形成されている。これにより、第１側壁６と突出部８との間に鍵穴状の係留部９が形成されることとになる。
【００２２】
また、突出部８の上端縁８ａは、フィルム部材３を装着する際に、フィルム部材３が容器本体２の内部に、すなわち、底壁５の方向に、滑り込み易くするために、角が丸められている。
【００２３】
フィルム部材３は、合成樹脂性のシートを、所定寸法に裁断することにより形成されている。ここで用いられるシートは、白色でも半透明でもよいが、本実施形態においては、魚５０等が映えるように、青色半透明に着色されたものが使用されている。フィルム部材３自体の断熱性を高めるために、フィルム部材３の表面にアルミニウムを蒸着させてもよい。本実施形態において、フィルム部材３の寸法は、魚５０等の全体をくるむことができる大きさに設定されているが、フィルム部材３の一部を係留部９に嵌挿し得るように、少なくとも、底壁５よりも大きな寸法となるように設定されていればよい。
【００２４】
次に、包装容器１の組み立て工程について、図４乃至図６を参照して説明する。包装容器１の組み立てにあたっては、図４に示す組み立て用治具１０が使用される。組み立て用治具１０は、例えば、金属製のパイプ部材を接合することによって形成される。すなわち、組み立て用治具１０は、フィルム部材３を介して容器本体２の第１側壁６に沿って差し込まれる第１差込部１１と、フィルム部材３を介して突出部８に対向して容器本体２に差し込まれる第２差込部１２と、フィルム部材３が容器本体２に装着された後、組み立て用治具１０を容器本体２から引き抜くための取手部１３等によって構成されている。第１差込部１１の外径寸法は、フィルム係止部９ｂの開口よりも若干小さく設定されている。取手部１３は、作業者が容易に把持し得るように、上方に退避されている。図４に示したような金属製のパイプ部材から成る組み立て用治具１０は、同等の構成を板状部材によって構成した組み立て用治具と比較して、フィルム部材３との接触面積が小さい。そのため、フィルム部材３が容器本体２に装着された後、組み立て用治具１０を容器本体２から引き抜く際に、フィルム部材３と組み立て用治具１０との間に生ずる摩擦を少なくすることができる。従って、フィルム部材３と組み立て用治具１０との間に生ずる摩擦よりも、フィルム部材３と第１側壁６及び突出部８との間に生ずる摩擦が大きくなり、組み立て用治具１０を引き抜く際に、フィルム部材３が係留部９から離脱しにくくなる。
【００２５】
包装容器１は、以下の手順によって組み立てられる。まず、成形された容器本体２の上にフィルム部材３が載置され、さらにその上方から容器本体２の内面に組み立て用治具１０が差し込まれる。このとき、図５に示すように、第１差込部１１によってフィルム部材３が係留部９に嵌挿され、第２差込部１２によってフィルム部材３の中央部が容器本体２の内部に装着される。このとき、フィルム部材３は、係留部９に嵌挿されて、第１側壁６及び突出部８と接触されている。
【００２６】
この後、取手部１３を上方に引き上げると、図６に示すように、組み立て用治具１０が容器本体２から引き抜かれる。このとき、上述したように、フィルム部材３と第１側壁６及び突出部８とが接触されているので、両者の間に摩擦力が発生し、フィルム部材３が第１側壁６及び突出部８によって係留され、組み立て用治具１０のみを容器本体２から引き抜くことができる。
【００２７】
以上で包装容器１の組み立てが完了する。この後、図１に示すように、魚５０等が氷６０と共に収容され、フィルム部材３の端部が折り畳まれ、必要に応じて蓋部材（図示せず）が容器本体２の上部開口に装着される。一方、包装容器１の組み立てと同時に魚５０等を収容しない場合には、容器本体２からはみ出したフィルム部材３の端部を折り畳んで一旦容器本体２に収容した後、包装容器１を出荷することとなる。
【００２８】
以上のように、本実施形態の包装容器１によれば、シート状に形成されたフィルム部材３が、容器本体２に装着されて容器本体２の内面と魚５０等の収容物との間に介在されるので、従来のように袋状のフィルム部材を用いる必要がなくなり、袋の開口部を開く手間が省け、作業者の負担が軽減される。また、フィルム部材３は、容器本体２の底壁５よりも大きな寸法を有し、その一部が、係留部９に嵌挿されて、第１側壁６及び突出部８と接触されている。従って、万一、フィルム部材３が係留部９から離脱しようとする場合であっても、フィルム部材３と第１側壁６及び突出部８との間に摩擦力が発生し、フィルム部材３が係留される。これにより、フィルム部材３の位置ずれや離脱が防止されることとなる。また、フィルム溜部９ａとフィルム係止部９ｂによって鍵穴状の係留部９が形成されるので、フィルム部材３の位置ずれや離脱を、より一層防止できるようになる。さらにまた、突出部８の上端縁８ａの角が丸められているので、フィルム部材３が突出部８の表面を滑り易くなる。これにより、容器本体２にフィルム部材３を装着する際、フィルム部材３が突出部８に引っかかることがなくなり、円滑にフィルム部材３を係留部９に嵌挿できるようになる。
【００２９】
また、組み立て用治具１０が、フィルム部材３を係留部９に嵌挿させる第１差込部１１と、フィルム部材３を容器本体２の内部に装着させる第２差込部１２とを備えているので、容器本体２の上面にフィルム部材３を載置させた状態で組み立て用治具１０を容器本体２の内部に差し込むだけで、容易にフィルム部材３を装着でき、作業者の負担を軽減できるようになる。また、組み立て用治具１０が、容器本体２から組み立て用治具１０を引き抜くための取手部１３を備えているので、フィルム部材３が容器本体２に装着された後、取手部１３を引き上げることにより、組み立て用治具１０を容器本体２から容易に取り外すことができ、包装容器１の組み立て作業を効率よく行えるようになる。
【００３０】
なお、本発明は上記実施形態の構成に限られることなく、種々の変形が可能であり、例えば、突出部８は、底壁５及び第２側壁７から突出された形態に限られることなく、少なくとも、第１側壁６と対向するように、底壁５又は第２側壁７のいずれか一方から突出される形態であればよい。また、容器本体２の長手方向に対して垂直な側壁を第１側壁６、平行な側壁を第２側壁７と定義したが、該長手方向に対して平行な側壁を第１側壁６、垂直な側壁を第２側壁７としてもよい。
【００３１】
また、容器本体２は、図２等に示した形態に限られることなく、図７及び図８に示す形態であってもよい。図７に示す容器本体１５は、第２側壁７の上端縁から底壁５に亘って溝状に、係留部１６が形成されているものである。本容器本体１５によれば、第２側壁７に設けられた係留部１６によって、フィルム部材３を係留し、フィルム部材３の位置ずれや離脱を防止することができる。また、係留部１６が、第２側壁７の上端縁から底壁に亘って形成されているので、フィルム部材３と係留部１６の内面との接触面積が大きくなる。これにより、フィルム部材３と係留部１６との間に生ずる摩擦力が大きくなり、フィルム部材３の位置ずれや離脱の防止効果をより一層高めることができる。なお、容器本体１５の係留部１６は、容器本体２と同様に、フィルム溜部１６ａと、フィルム係止部１６ｂ等によって構成され、フィルム係止部１６ｂの開口は、フィルム溜部１６ａよりも狭く形成されている。
【００３２】
また、図８に示す容器本体１８は、底壁５の端縁近傍において、第１側壁６と略平行に溝状に、係留部１９が形成されているものである。本容器本体１８によれば、係留部１９が底壁５に設けられているので、フィルム部材３の装着が容易となる。なお、容器本体１８の係留部１９は、容器本体２及び容器本体１５と同様に、フィルム溜部１９ａと、フィルム係止部１９ｂ等によって構成され、フィルム係止部１９ｂの開口は、フィルム溜部１９ａよりも狭く形成されている。
【００３３】
さらにまた、組み立て用治具は、図４に示した形態に限られることなく、図９及び図１０に示す形態であってもよい。図９に示す組み立て用治具２０は、組み立て用治具１０と同様に、金属製のパイプ部材を接合することによって形成されるが、第１差込部１１の両端部１１ａ、すなわち第１側壁６と突出部８との係留部９に差し込まれる部分に、差込方向に対して後退角αが付与されている点において、組み立て用治具１０と相違する。第１差込部１１の両端部１１ａに後退角αを設けることにより、第１差込部１１の中央部１１ｂから両端部１１ａに亘って、順次係留部９に差し込まれることとなり、フィルム部材３を円滑に装着できるようになる。
【００３４】
一方、図１０に示す組み立て用治具３０は、例えば、段ボール等の板状部材３１を折り曲げることにより第１差込部３１ａ及び第２差込部３１ｂが一体的に形成され、１対の板状部材３１がパイプ状の取手部３２を介して接合されることにより成るものである。この組み立て用治具３０によれば、組み立て用治具１０等と比較して、低コストで組み立て用治具を製造することができる。
【図面の簡単な説明】
【００３５】
【図１】本発明の一実施形態による包装容器を示す斜視図。
【図２】同包装容器の容器本体の構成を示す斜視図。
【図３】（ａ）は同容器本体の平面図、（ｂ）は（ａ）におけるＡ−Ａ線断面図、（ｃ）は同Ｂ−Ｂ線断面図。
【図４】同包装容器の組み立て工程を、その組み立て用治具と共に示す斜視図。
【図５】図４に続いて、同組み立て工程を示す斜視図。
【図６】図５に続いて、同組み立て工程を示す斜視図。
【図７】本発明の別の実施形態による包装容器の容器本体を示す斜視図。
【図８】本発明のさらに別の実施形態による包装容器の容器本体を示す斜視図。
【図９】本発明の別の実施形態による組み立て用治具の構成を示す斜視図。
【図１０】本発明のさらに別の実施形態による組み立て用治具の構成を示す斜視図。
【符号の説明】
【００３６】
１    包装容器
２    容器本体
３    フィルム部材
５    底壁
６    第１側壁
７    第２側壁
８    突出部
９    係留部
１０    組み立て用治具
１１    第１差込部
１２    第２差込部
１３    取手部
【図１】
2007238110.tif 000003
【図２】
2007238110.tif 000004
【図３】
2007238110.tif 000005
【図４】
2007238110.tif 000006
【図５】
2007238110.tif 000007
【図６】
2007238110.tif 000008
【図７】
2007238110.tif 000009
【図８】
2007238110.tif 000010
【図９】
2007238110.tif 000011
【図１０】
2007238110.tif 000012